(57)【要約】【課題】本発明は、意匠性に優れかつ、庇の張り出し寸法の延長に伴う強度増を容易に図ることができる庇を提供することを目的としている。【解決手段】平板状の庇本体１と、庇本体に対して起立して接続され、外壁２に固定される庇固定片１ｂと、庇本体に一つ以上配置される補強部材３であって、庇本体に取り付けられる取付片３ａと、該取付片の長手方向に沿って起立され、該取付片に対して接続された補強片３ｂと、該取付片か該補強片の少なくとも一方の長手方向の端部に接続され、庇固定片を介して外壁に固定される補強固定片３ｃと、を有する補強部材３と、庇本体に接合される庇側ブラケット５と、一端部が庇本体より上方か下方のいずれかの位置の外壁に対して連結され、他端部が庇側ブラケットに対して連結されるステー８と、を有し、庇側ブラケットは庇本体と取付片とを挟み込み、該庇本体と補強部材とを一体にさせ接合することを特徴とする。【選択図】      図１
2020165201.tif 000002
【特許請求の範囲】
【請求項１】
平板状の庇本体と、
前記庇本体に対して起立して接続され、外壁に固定される庇固定片と、
前記庇本体に一つ以上配置される補強部材であって、前記庇本体に取り付けられる取付片と、該取付片の長手方向に沿って起立され、該取付片に対して接続された補強片と、該取付片か該補強片の少なくとも一方の長手方向の端部に接続され、前記庇固定片を介して前記外壁に固定される補強固定片と、を有する補強部材と、
前記庇本体に接合される庇側ブラケットと、
一端部が前記庇本体より上方か下方のいずれかの位置の外壁に対して連結され、他端部が前記庇側ブラケットに対して連結されるステーと、を有し、
前記庇側ブラケットは前記庇本体と前記取付片とを挟み込み、該庇本体と前記補強部材とを一体にさせ接合することを特徴とする庇。
【発明の詳細な説明】
【技術分野】
【０００１】
本発明は、建築物の庇に関するものである。
【背景技術】
【０００２】
建物の外壁から片持ち状に張り出した庇を構成することが行われている。このような庇として、張出方向の一方の端部が外壁に支持されると共に、中間部分がステーを介して外壁に吊り下げた状態で支持された構造のものがある。
【０００３】
例えば特許文献１に記載された庇は、板ガラス製の庇板の基端縁が外壁に固定された支持具に挟み込まれて支持されている。また、庇板の幅方向の両端に対応する位置には一端が外壁に支持されたアームが夫々配置されており、庇板はこれらのアームに取り付けた縁枠に端縁が挟み込まれて支持されている。更に、庇板の先端縁を挟み込んだ縁枠をアームによって支持することで、風圧、積雪などの外力に対応し得るように構成されている。
【０００４】
また特許文献２に記載された建屋用庇は、下部側に庇継合部材を支持すると共に、上部側に一端が庇継合部材に接続されたアーム材の他端を支持した建屋ブラケットが建物の外壁に固定されている。また、建物ブラケットの下方側には雨樋が配置されている。そして、彎曲した庇本体は、幅方向の端部が庇継合部材に係合して支持されるように構成されている。
【０００５】
特許文献３に記載された庇は、平板状の庇本体の構成により、薄くすっきりとした意匠を実現することができる。この庇は、庇本体に対して起立し外壁に固定される固定片と、外壁に固定された固定ブラケットと、庇本体に取り付けた固定金具と、固定ブラケットと固定金具を繋ぐステーと、を有して構成されている。
【先行技術文献】
【特許文献】
【０００６】
【特許文献１】特許第４６６９７３８号公報
【特許文献２】特開平６−１９３２２３号公報
【特許文献３】特開２００８−６３７５０号公報
【発明の概要】
【発明が解決しようとする課題】
【０００７】
庇の張り出し寸法を大きくし、雨がかりしにくくしたり、また日よけを図ることがある。一般に、庇の張り出し寸法が大きくなることに伴い、庇の面積が増すことになる。これに比例して庇にかかる風圧力、積雪荷重が大きくなり、このような外力に耐えるためには、庇の強度増を図ることが必要になる。しかしながら、前述の特許文献３の技術では、庇の張り出し寸法が大きくなったとき、庇本体の剛性を外力に対応させる場合には庇本体の厚さを大きくすることが必要になるという問題があった。そして、庇本体の厚さが大きくなることによって、薄くすっきりした意匠性が損なわれるという問題が生じる。このような問題の対策のため、庇本体を薄くしたまま、庇本体に特許文献１、２に記載されたアームのような補強材を接合することで庇本体の剛性を高め、外力に対応させることが考えられる。この場合、この補強材を設ける手間が生じることになり、この手間を出来るだけ抑制することが施工上望ましい。
【０００８】
本発明は前記課題を解決するものであり、その目的とするところは、意匠性に優れかつ、庇の張り出し寸法の延長に伴う強度増を容易に図ることができる庇を提供せんとするものである。
【課題を解決するための手段】
【０００９】
前記目的を達成するための本発明に係る庇の構成は、平板状の庇本体と、前記庇本体に対して起立して接続され、外壁に固定される庇固定片と、前記庇本体に一つ以上配置される補強部材であって、前記庇本体に取り付けられる取付片と、該取付片の長手方向に沿って起立され、該取付片に対して接続された補強片と、該取付片か該補強片の少なくとも一方の長手方向の端部に接続され、前記庇固定片を介して前記外壁に固定される補強固定片と、を有する補強部材と、前記庇本体に接合される庇側ブラケットと、一端部が前記庇本体より上方か下方のいずれかの位置の外壁に対して連結され、他端部が前記庇側ブラケットに対して連結されるステーと、を有し、前記庇側ブラケットは前記庇本体と前記取付片とを挟み込み、該庇本体と前記補強部材とを一体にさせ接合することを特徴とする。
【発明の効果】
【００１０】
本発明に係る庇の構成によれば、補強部材は、庇本体に対して容易に設置することができる。すなわち、庇とステーとの接続部となる庇側ブラケットを利用して、補強部材を庇本体に連結させ、他方外壁への固定は、ねじなどの固定具により、補強固定片と庇固定片とを共留めできる構成であるため、補強部材の設置に要する工程を庇側ブラケットの設置作業及び庇本体のねじ留め作業と共通に行うことができる。従って、補強部材に設置に要する工数増を抑えることができ、庇への補強部材の設置が容易にできる。故に意匠性を減ずることなく、張り出し寸法の延長の容易化を図ることができる。
【００１１】
尚、現場での作業を出来るだけ縮減したい場合には、補強部材を壁側ブラケットにより庇本体に予め工場で組み立てておくことも可能である。
【００１２】
補強部材が、庇本体に取り付けられる取付片と、この取付片に対して接続された補強片と、取付片か補強片の少なくとも一方の長手方向の端部に接続された補強固定片を有している。そして、取付片を庇本体に取り付けると共に補強固定片を庇本体の庇固定片を介して外壁に固定することによって、補強部材は庇本体の張り出し方向に配置されて固定される。従って、補強片が庇本体の平面から起立することとなり、剛性を高めることができる。このため、意匠性を損なうことなく、張り出し寸法の大きい庇を構成することができる。
【００１３】
補強部材の補強固定片が庇本体の庇固定片を介して直接外壁に固定されるため、補強部材は単に庇本体に固定されるのみならず外壁にも固定されることとなる。このため、補強部材と一体化された庇本体をより確実に外壁に固定することができ、且つ高い剛性を発揮することができる。
【００１４】
特に、補強部材を庇本体の幅方向の寸法に対応させて配置数を設定することで、幅方向の寸法の制限のない庇を構成することができる。また、補強部材が補強固定片を庇本体の庇固定片を介して外壁に固定した状態で庇本体の張出方向に配置される。このため、庇本体の張出寸法に対応させた補強部材を配置することで、張出寸法の大きさに対応することができる。従って、寸法の自由度の高い庇を構成することができる。
【００１５】
また、前述したとおり、現場における作業を容易に行うことができるので、庇本体、補強部材、壁側ブラケット、庇側ブラケットを個別の部品として構成して現場組立とすることができるため、現場への搬入作業を容易に且つ確実に行うことができる。すなわち、輸送による振動や、現場での持ち運びの際の傷防止のため、各部品はエアキャップやビニールシートにより養生をすることが好ましいが、部品を個別化することにより、養生が容易にできる。また、梱包は製品全体を保護のため段ボールで覆うことが一般であるが、部品を個別化することにより、比較的にかさばらず、緩衝材を削減し、製品の梱包形状の凹凸を最小限にすることができ、倉庫に於ける保管時、輸送時の積み重ねが容易にできる。
【図面の簡単な説明】
【００１６】
【図１】本発明に係る庇の構成を示す斜視図である。
【図２】図１のII−II断面図である。
【図３】本発明に係る庇の正面図である。
【図４】庇本体の構成を示す斜視図である。
【図５】補強部材の構成を示す斜視図である。
【図６】庇本体に補強部材を取り付ける際の手順の説明図である。
【発明を実施するための形態】
【００１７】
図１〜図６を用いて本発明に係る庇の構成について説明する。図において、１は平板状の庇本体であり、該庇本体１の先端部（外壁２と反対側の辺）には、該庇本体１の先端部（外壁２と反対側の辺）の全長にわたって上方に所定角度で折曲された水止め片１ａが形成されている。
【００１８】
また、庇本体１の後端部（外壁２側の辺）には、該庇本体１に対して該庇本体１の後端部（外壁２側の辺）の全長にわたって上方に起立して接続された庇固定片１ｂが形成されている。この庇固定片１ｂには複数の穴１ｃが形成されており、該穴１ｃに固定部材となる固定ビス１１を挿通してシーリング材１０ａを介して外壁２に固定することにより、庇本体１の庇固定片１ｂを外壁２に固定することができる。
【００１９】
また、庇本体１の平面部分には、該庇本体１の幅方向（図３の左右方向）の予め設定された位置には複数の穴１ｄが形成されている。この穴１ｄは、後述する補強部材３、庇側ブラケット５、固定部材６を取り付けるためのものであり、補強部材３の取付数及び配置位置、庇固定片１ｂからの寸法などの条件に対応した夫々位置に形成されている。
【００２０】
尚、庇固定片１ｂは庇本体１に対して直角若しくは鈍角に起立させることが出来る。また、庇固定片１ｂは必ずしも庇本体１の一部を折り曲げて形成する必要はなく、Ｌ字型に成形した材を庇本体１の後端部に溶接等の手段で接続しても良い。
【００２１】
ここで、庇本体１の材質としては可撓性を有する金属製の薄板或いは可撓性の合成樹脂板等により作成することが出来る。
【００２２】
庇本体１の幅方向の中央部及びその両側に合計３本の補強部材３が配置されている。各補強部材３は庇本体１と対応する部位が庇側ブラケット５と固定部材６によって庇本体１に取り付けられ、外壁２と対応する部位は固定ビス１１によって外壁２に固定されている。尚、庇本体１に取り付けられる補強部材３の数は、本実施形態に於ける３本に限定されるものではなく、庇本体１の幅方向の寸法や耐荷重に応じて、補強部材３の数を適宜増減させることができる。補強部材３を取り付ける位置は実施形態に限らず、庇本体１の端に設置することも可能である。下からの見栄えの点からは、実施形態のように補強部材３が見えにくいように庇本体１の端から離して設置することが好ましい。下からの意匠を他の補強材がついていない庇とさほどかわらなくすることで、補強材がある庇と、補強材がない庇とを一の製品群として商品化を図ることが容易になる。
【００２３】
本実施形態に於いて、補強部材３は、庇本体１に取り付けられる取付片３ａと、取付片３ａの長手方向に沿って起立して接続された一対の補強片３ｂと、を有する長尺状の溝型に形成されている。また、取付片３ａの長手方向の端部には、該取付片３ａに起立して補強固定片３ｃが接続されている。この補強固定片３ｃは取付片３ａに接続すると共に補強片３ｂにも接続されている。補強固定片３ｃは、補強片３ｂの端部から折り曲げして構成してもよく、取付片３ａか補強固定片３ｃか何れか一方に板状のものを溶接したり、アングル状のものをネジ留めして構成することも可能である。
【００２４】
尚、本実施形態では、補強部材３を取付片３ａに沿って起立して接続された一対の補強片３ｂを有する溝型に形成したが、一つの補強片を有するアングル状に形成したものであっても良い。また、補強部材３の長さは限定するものではなく、庇本体１の張出長さや板厚等の条件に対応させて適宜設定することが好ましい。
【００２５】
補強部材３の補強固定片３ｃであって、庇本体１の庇固定片１ｂに形成された穴１ｃと対応する位置には、穴３ｄが形成されている。また、取付片３ａには、補強固定片３ｃをシーリング材１０ｂを介して庇固定片１ｂに接触させたときに庇本体１に形成された穴１ｄと対応する位置に夫々穴３ｅが形成されている。
【００２６】
補強部材３は、補強固定片３ｃをシーリング材１０ｂを介して庇本体１の庇固定片１ｂに接触させると共に、取付片３ａをシーリング材１０ｃを介して庇本体１に接触させて配置されている。そして、補強部材３の庇本体１の先端側が固定部材６によって、該固定部材６よりも補強固定片３ｃ側が庇側ブラケット５によって、庇本体１に取り付けられている。
【００２７】
すなわち、図６に示すように、庇本体１に形成された穴１ｄ、補強部材３と庇本体１との隙間への水の浸入を防ぐための、シーリング材１０ｃを介して庇本体１の上面に配置された補強部材３の取付片３ａに形成された穴３ｅには、庇本体１の下面側から固定部材６の支持ボルト６ａ、庇側ブラケット５の支持ボルト５ａが差し込まれている。また、庇本体１の上面側に露出した各支持ボルト６ａ、５ａにはパネル受け６ｂ、５ｂ、座金６ｃ、５ｃ、５ｄが差し込まれ、支持ボルト６ａには袋ナット６ｄが締結され、支持ボルト５ａにはブラケット体５ｅが締結されている。尚、庇側ブラケット５を構成するブラケット体５ｅにはボルト５ｆが回動可能に設けられている。
【００２８】
上記の如くして庇側ブラケット５と支持ボルト５aとが対になり、補強部材３と庇本体１とを挟み込み補強部材３は庇本体１に一体的に取り付けられている。シーリング材１０ｂ、１０ｃは、防錆上、補強部材３と、庇本体１との間の水の滞留を防止する。尚、構成を簡略化するためにシーリング材１０ｂ、１０ｃを省略することもできる。
【００２９】
庇本体１は、庇固定片１ｂをシーリング材１０ａを介して外壁２に接触させると共に、該庇固定片１ｂに形成された穴１ｃに固定ビス１１を挿通して外壁２に締結することで、該外壁２に固定されている。そして、外壁２における庇本体１に取り付けた補強部材３と対応する位置（外壁２に対向した補強固定片３ｃの上方）には、壁側ブラケット７が固定ビス１１によって固定されている。シーリング材１０ａは、外壁２の不陸を吸収すると共に防水性能を発揮する。尚、構成を簡略化するためにシーリング材１０ａを省略することもできる。
【００３０】
壁側ブラケット７は、取付座７ａと、この取付座７ａから起立した支柱７ｂと、支柱７ｂの先端に回動可能に構成されたボルト７ｃと、を有している。そして、取付座７ａに挿通した固定ビス１１を外壁２に締結することで、壁側ブラケット７は外壁２に固定されている。
【００３１】
壁側ブラケット７と庇側ブラケット５はステー８を介して連結されている。すなわち、ステー８は、一端部が壁側ブラケット７のボルト７ｃに締結され、他端部が庇側ブラケット５のボルト５ｆに締結されている。尚、ステー８と壁側ブラケット７のボルト７ｃ、庇側ブラケット５のボルト５ｆとの螺合をどの時点で行うかは限定するものではなく、現場の状況に応じた手順で行うことが好ましい。また、ステー８の配置についても本実施形態に限定するものではなく、庇側ブラケット５と固定部材６の位置を交換してもよい。すなわち、庇側ブラケット５を補強部材３の先端側とし、固定部材６を外壁２側として接続してもよい。
【００３２】
そして、ステー８を介して庇側ブラケット５と壁側ブラケット７を連結すると共に、庇固定片１ｂを外壁２に固定することで、庇本体１は外壁２に支持されている。特に、ステー８をターンバックルとして機能させることで、庇本体１の外壁２からの張り出し勾配を設定することが可能となる。
【００３３】
庇本体１に所望の勾配に設定した後、庇側ブラケット５のボルト５ｆ、壁側ブラケット７のボルト７ｃに夫々ロックナット９によって固定することで、各ボルト５ｆ、７ｃは緩みを生じることなく確実に締結されている。
【００３４】
上記の如く構成された庇では、雨がかりや日よけ対策を目的として庇の張出寸法を大きくするのに伴って庇の面積が増大した場合でも、補強部材３の配置数や寸法を適宜設定することで、庇本体１の板厚を厚くすることなく、意匠性を確保した薄板での強度確保を実現することが可能となる。このように、庇本体１を薄板の単板によって構成することで安価な庇を構成することが可能であり、且つ補強部材３との接合も強固なものとすることが可能である。
【産業上の利用可能性】
【００３５】
本発明の活用例として、建築物の庇に適用することが出来る。
【符号の説明】
【００３６】
１…庇本体
１ａ…水止め片
１ｂ…庇固定片
１ｃ、１ｄ…穴
２…外壁
３…補強部材
３ａ…取付片
３ｂ…補強片
３ｃ…補強固定片
３ｄ、３ｅ…穴
５…庇側ブラケット
５ａ、６ａ…支持ボルト
５ｂ、６ｂ…パネル受け
５ｃ、５ｄ、６ｃ…座金
５ｅ…ブラケット体
５ｆ、７ｃ…ボルト
６…固定部材
６ｄ…袋ナット
７…壁側ブラケット
７ａ…取付座
７ｂ…支柱
８…ステー
９…ロックナット
１０ａ〜１０ｃ…シーリング材
１１…固定ビス
【図１】
2020165201.tif 000003
【図２】
2020165201.tif 000004
【図３】
2020165201.tif 000005
【図４】
2020165201.tif 000006
【図５】
2020165201.tif 000007
【図６】
2020165201.tif 000008